(57)【要約】【課題】ダクト内部の汚れを除去し、室内の空気の質を良好に維持する。【解決手段】この装置１００は、複数の粘りパイプ２ａ〜２ｆからなる粘りパイプコロニー１と、各粘りパイプ２ａ〜２ｆの内側表面及び各粘りパイプ２ａ〜２ｆのうち最外層の粘りパイプ２ｆの外側表面に付けられて、全ての相互に隣り合う粘りパイプ２ａ〜２ｆ同士及び最外層の粘りパイプ２ｆとエアダクト５１を繋ぎ、また汚れを粘着するために使用するビスコース層３と、各粘りパイプ２ａ〜２ｆの両端に固定され、各粘りパイプ２ａ〜２ｆを各粘りパイプ２ａ〜２ｆに沿って引き剥がすための引き線４ａ〜４ｆとを備える。【選択図】図１
2011137507.tif 000002
【特許請求の範囲】
【請求項１】
口径が異なる、中空、軟質の複数の粘りパイプ（２ａ〜２ｆ）からなり、前記複数の粘りパイプ（２ａ〜２ｆ）が、小さい口径の粘りパイプが大きい口径の粘りパイプに順次嵌合され、内側から外側に向けて順次積み重ねられて組み立てられる粘りパイプコロニー（１）と、
前記各粘りパイプ（２ａ〜２ｆ）の内側表面（２１ａ〜２１ｆ）及び前記各粘りパイプ（２ａ〜２ｆ）のうち最外層の塵粘りパイプ（２ｆ）の外側表面（２２ｆ）に付けられて、全ての相互に隣り合う粘りパイプ（２ａ〜２ｆ）同士及び前記最外層の塵粘りパイプ（２ｆ）とエアダクト（５１）を繋ぎ、また汚れを粘着するために使用するビスコース層（３）と、
前記各粘りパイプ（２ａ〜２ｆ）の両端に固定され、前記各粘りパイプ（２ａ〜２ｆ）を前記各粘りパイプ（２ａ〜２ｆ）に沿って引き剥がすための引き線（４ａ〜４ｆ）と、
を備え、
前記粘りパイプコロニー（１）をエアダクト（５１）の内部に入れ込み、前記エアダクト（５１）のエアーコンディショナーキャビネット（Air Conditioner cabinet）（５）に近接する一端に、前記各粘りパイプ（２ａ〜２ｆ）の通風口（２４ａ〜２４ｆ）をセットし、前記エアダクト（５１）の他のダクトを連接する他端に前記各粘りパイプ（２ａ〜２ｆ）の通風口（２５ａ〜２５ｆ）をセットして、空調設備から送られる冷風の通路に置き、
前記各粘りパイプ（２ａ〜２ｆ）により前記エアダクト（５１）内部の汚れを粘着し、順次、前記各粘りパイプ（２ａ〜２ｆ）を引き剥がして、前記エアダクト（５１）の内部から取り出す、
ことを特徴とする引き剥がし式粘りパイプ装置（１００）。
【請求項２】
粘りパイプコロニー（１）をなす各粘りパイプ（２ａ〜２ｆ）の両端間でエアダクト側の通風口（５１１）に当たるところに分流通風口（２３ａ〜２３ｆ）を有する請求項１に記載の引き剥がし式粘りパイプ装置（１００）。
【請求項３】
粘りパイプコロニー（１）をなす各粘りパイプ（２ａ〜２ｆ）のエアーコンディショナーキャビネット（５）に連接する通風口のところにフィルタ（７）が着脱可能に取り付けられる請求項１に記載の引き剥がし式粘りパイプ装置（１００）。
【請求項４】
粘りパイプコロニー（１）をなす各粘りパイプ（２ａ〜２ｆ）の素材は布材又はプラスチック材又は紙材のいずれかから選択される請求項１に記載の引き剥がし式粘りパイプ装置（１００）。
【請求項５】
粘りパイプコロニー（１）をなす各粘りパイプ（２ａ〜２ｆ）に付けられるビスコース層（３）の素材は抗菌材料又は殺菌材料又は匂い消し材料又はこれらの混合材料のいずれかから選択される請求項１に記載の引き剥がし式粘りパイプ装置（１００）。
【請求項６】
粘りパイプコロニー（１）をなす各粘りパイプ（２ａ〜２ｆ）の両端に引き線（４ａ〜４ｆ）に連結されたリング（２６ａ〜２６ｆ）がセットされ、引き線（４ａ〜４ｆ）を引くことにより、前記リング（２６ａ〜２６ｆ）で前記各粘りパイプ（２ａ〜２ｆ）の両端開口を閉じるようにした請求項１に記載の引き剥がし式粘りパイプ装置（１００）。
【請求項７】
引き線（４ａ〜４ｆ）は各粘りパイプ（２ａ〜２ｆ）の外側表面（２２ａ〜２２ｆ）にセットされる請求項１に記載の引き剥がし式粘りパイプ装置（１００）。
【請求項８】
引き線（４ａ〜４ｆ）は各粘りパイプ（２ａ〜２ｆ）の内側表面（２１ａ〜２１ｆ）にセットされる請求項１に記載の引き剥がし式粘りパイプ装置（１００）。
【発明の詳細な説明】
【技術分野】
【０００１】
本発明は、エアダクトの内部に設置してダクト内部の汚れをきれいにするための引き剥がし式粘りパイプ装置に関し、特に、素手で最内層の粘りパイプ引き剥がす形式で、ダクトの内部の小さい汚れをより効果的に除去する引き剥がし式粘りパイプ装置に関する。
【背景技術】
【０００２】
空気調節設備（エアーコンディショニング）は温度、湿度、空気清浄度など室内環境を調整するための建築設備である。この設備のうち、エアダクトはとても重要なユニットであるが、近時よく使われるエアダクトには設備内部を清潔にするための装置がない。メンテナンスの際には、エアダクトのベースが狭いとか、距離が長いとか、暗いとかなどの要因により、メンテナンスの作業員はエアダクトの内部に入り難くく、作業が制限されるため、出入り口でエアフィルタを取り外し、フィルタの洗濯だけを行っている。このため、エアダクト内部の汚れ、炭塵、そして芥などの汚いものを徹底して洗浄することは難しい。なお、請求項に係る発明と関連性を有する技術の蓄積がなく、記載すべき先行技術文献情報はない。
【発明の概要】
【発明が解決しようとする課題】
【０００３】
ところで、年ごとにエアダクトの内部にくっ付いている小さい汚れを徹底して洗浄していないでいると、この小さな汚れが積み重ねられていき、このようなものが必ずエアダクトを流れる冷房の空気を汚染し、延いては細菌の発生源になる恐れがある。そして、この気密の環境が長いこと放置されていると、人々の吸う空気が汚染され、或いは伝染病の媒介になる危険性がある。このため、エアダクトの内部にはエアダクト内部を清潔にするための装置が設置されることが望ましい。
【０００４】
本発明は、このような従来の課題を解決するものであり、引き剥がし式の粘りパイプを用いて、ダクト内部の汚れを除去し、室内の空気の質を落とすことなく、延いてはより快適な仕事環境、生活環境をもたらすこと、を目的とする。
【課題を解決するための手段】
【０００５】
上記目的を達成するために、本発明は、引き剥がし式粘りパイプ装置（１００）に関するもので、次のような特徴を備えている。
（１）一種引き剥がし式の塵粘りパイプコロニー（colony）（１）、当の塵粘りパイプコロニー（１）をエアダクト（５１）の内部に入れ込んで空気調和設備の送る冷風の通路とする。前記の塵粘りパイプコロニー（１）は複数で口径の異なる中空軟質な塵粘りパイプが内から外へお互いに嵌合して積み重なって組立てられる。そしてエアダクト（５１）の内部にあった小さい汚れを除去するために、順を追って、逐一塵粘りパイプコロニーを引き剥がせ、エアダクトの内部から持ち出す。
前記各々の塵粘りパイプ（２ａ〜２ｆ）の内側表面（２１ａ〜２１ｆ）と最外層の塵粘りパイプ（２ｆ）の外側表面（２２ｆ）に、全てとなりの塵粘りパイプ（２ａ〜２ｆ）或いはエアダクトに繋がり、汚れを粘りつけるために重複使用できるビスコース層（３）がつく。
前記各々の塵粘りパイプ（２ａ〜２ｆ）がエアーコンディショナーキャビネット（Air Conditioner cabinet）（５）に近くの一端に、各々の塵粘りパイプ（２ａ〜２ｆ）に対応の通風口（２４ａ〜２４ｆ）をセットする。そして向こうのダクトに連接する一端にもうひとつ各々の塵粘りパイプ（２ａ〜２ｆ）に対応の通風口（２５ａ〜２５ｆ）をゼットする。各々の粘りパイプ（２ａ〜２ｆ）の表面は塵粘りパイプに沿って、塵粘りパイプを引き剥がすために、各々の塵粘りパイプの両端に固定された引き線（４ａ〜４ｆ）を含む。
（２）塵粘りパイプコロニー（１）に、前記各々塵粘りパイプ（２ａ〜２ｆ）の両端の間にエアダクトの側の通風口（５１１）に当たるところに分流通風口（２３ａ〜２３ｂ）を含む。
（３）塵粘りパイプコロニー（１）に、前記各々塵粘りパイプ（２ａ〜２ｆ）がエアーコンディショナーキャビネット（５）に連接する通風口のところに取り外せるフィルタ（７）を含む。
（４）塵粘りパイプコロニー（１）に、前記各々塵粘りパイプ（２ａ〜２ｆ）の素材が布製またはプラスチック製または紙製のいずれを含む。
（５）塵粘りパイプコロニー（１）に、前記ビスコース層（３）の素材が抗菌材料または殺菌材料または匂い消し材料または混合材料のいずれを含む。
（６）塵粘りパイプコロニー（１）に、前記各々塵粘り（２ａ〜２ｆ）パイプの両端に、引き線（４ａ〜４ｆ）に連接したリング（２６ａ〜２６ｆ）がセットし、線を引かれたとき、塵粘りパイプの両端の開口を閉じることができるリング（２６ａ〜２６ｆ）を含む。
（７）塵粘りパイプコロニー（１）に、前記引き線が各々の塵粘りパイプ（２ａ〜２ｆ）外側表面（２２ａ〜２２ｆ）にセットする。
（８）塵粘りパイプコロニー（１）に、前記の引き線が各々の塵粘りパイプ（２ａ〜２ｆ）内側表面（２１ａ〜２１ｆ）にセットする。
本発明、一番のポイントは複数で口径の異なる中空軟質な塵粘りパイプ（２ａ〜２ｆ）の表面にビスコース（３）を付けます。そして順を追って嵌合して中空の塵粘りパイプコロニー（１）に組み立てられる。これをエアダクトの内部を入れ込んで  これを空気調和設備の送る冷風の通路とします。もとはエアダクトの内部にくっ付いた汚れ、芥などの汚いものが塵粘りパイプコロニー（１）の表面にくっ付きます。それにより、空気調和設備の送る冷風の空気品質を上げることができます。
本発明はメンテナンスのときに線（４ａ〜４ｆ）を引くことを通して素手だけで気楽に塵粘りパイプコロニー（１）を引き剥がしせる。エアダクト（５１）の内部から持ち出すことができます。とても便利である  定期的に或いは不定期的にエアダクトのメンテナンスをしても構いません。一番内層の塵粘りパイプ（２ａ）から順を追って一番外層の塵粘りパイプ（２ｆ）へと逐一パイプコロニー（１）を移出できる。例えば、長い時間にわたり、一番内側の塵粘りパイプ（２ａ）の表面が塵だらけで使えなくなり、このようなときが只こ一番内側の塵粘りパイプを引き剥がして下層の塵粘りパイプ（２ｂ）を用い、汚れを粘りつけるだけでいいである、このように、エアダクトに流れる冷風が汚いものにより汚染されたことを避けることができる。延いては室内の空気の品質を維持することができる。
以上により、本装置をエアダクトの内部に入れ込んで空気調和設備の送る冷風の通路とすることで、エアダクトのメンテナンスが易しくなり、延いては冷房の空気品質を維持できる。
【発明の効果】
【０００６】
本発明の引き剥がし式粘りパイプ装置によれば、本装置をエアダクトの内部に入れ、空調設備から送られる冷風の通路に設置することで、エアダクトの内部にくっ付く汚れ、芥など汚いものを粘りパイプに付着させることができ、この粘りパイプを適宜引き剥がし、エアダクト内部から取り出すことにより、エアダクト内部の汚れを容易に除去することができ、エアダクトのメンテナンスを容易にして、冷房の空気の品質を良好に維持することができる。
【図面の簡単な説明】
【０００７】
【図１】本発明の一実施の形態における引き剥がし式粘りパイプ装置がダクトに設置された使用状態を示す斜視図
【図２】同装置の拡大斜視図（この図では、フィルタが取り外されている）
【図３】同装置の分解斜視図
【図４】同装置の拡大断面図
【図５】同装置においてエアダクトの通風口に当たるところに分流通風口をセットする状態を示す拡大斜視図
【図６】同装置の使用例を示し、同装置を用いたエアダクトのメンテナンスとして、エアダクト内部の汚れを除去する状態を示す図
【図７】同装置の使用例を示し、同装置を用いてエアダクトの内部から汚れを除去した状態を示す図
【発明を実施するための形態】
【０００８】
次に、この発明を実施するための形態について図を用いて説明する。図１に示すように、引き剥がし式粘りパイプ装置（１００）は、粘りパイプコロニー（１）と、ビスコース層（３）と、引き線（４ａ〜４ｆ）と、を備えて構成される。
【０００９】
図２乃至図４に示すように、粘りパイプコロニー（１）は、口径が異なる、中空、軟質の複数の粘りパイプ（２ａ〜２ｆ）からなり、これらの粘りパイプ（２ａ〜２ｆ）が、小さい口径の粘りパイプが大きい口径の粘りパイプに順次嵌合され、内側から外側に向けて順次積み重ねられて組み立てられる。
この場合、各粘りパイプ（２ａ〜２ｆ）の素材は布材又はプラスチック材又は紙材のいずれかから選択される。また、各粘りパイプ（２ａ〜２ｆ）のエアーコンディショナーキャビネット（５）に連接する通風口のところにフィルタ（７）が着脱可能に取り付けられる。
また、この装置の場合、図５に示すように、各粘りパイプ（２ａ〜２ｆ）の両端間で、エアダクト（５１）側の通風口（５１１）に当たるところに分流通風口（２３ａ〜２３ｆ）がセットされる。
【００１０】
図２乃至図４に示すように、ビスコース層（３）は各粘りパイプ（２ａ〜２ｆ）の内側表面（２１ａ〜２１ｆ）及び各粘りパイプ（２ａ〜２ｆ）のうち最外層の粘りパイプ（２ｆ）の外側表面（２２ｆ）に付けられて、全ての相互に隣り合う粘りパイプ（２ａ〜２ｆ）同士及び最外層の粘りパイプ（２ｆ）とエアダクト（５１）を繋ぎ、また汚れを粘着するために使用される。
この場合、ビスコース層（３）の素材は抗菌材料又は殺菌材料又は匂い消し材料又はこれらの混合材料のいずれかから選択される。
【００１１】
図２乃至図４に示すように、引き線（４ａ〜４ｆ）は線材で、各粘りパイプ（２ａ〜２ｆ）の両端に固定され、各粘りパイプ（２ａ〜２ｆ）を１つずつ各粘りパイプ（２ａ〜２ｆ）に沿って引き剥がすために使用される。この場合、引き線（４ａ〜４ｆ）は各粘りパイプ（２ａ〜２ｆ）の外側表面（２２ａ〜２２ｆ）にセットされてもよく、また、各粘りパイプ（２ａ〜２ｆ）の内側表面（２１ａ〜２１ｆ）にセットされてもよい。また、この場合、各粘りパイプ（２ａ〜２ｆ）の両端に引き線（４ａ〜４ｆ）に連結されるリング（２６ａ〜２６ｆ）がセットされ、引き線（４ａ〜４ｆ）を引くことにより、リング（２６ａ〜２６ｆ）で各粘りパイプ（２ａ〜２ｆ）の両端開口を閉じるようになっている。
【００１２】
このようにして引き剥がし式粘りパイプ装置（１００）は、図１に示すように、粘りパイプコロニー（１）をエアダクト（５１）の内部に入れ込み、エアダクト（５１）のエアーコンディショナーキャビネット（Air Conditioner cabinet）（５）に近接する一端に、各粘りパイプ（２ａ〜２ｆ）の通風口（２４ａ〜２４ｆ）をセットし、エアダクト（５１）の他のダクトを連接する他端に各粘りパイプ（２ａ〜２ｆ）の通風口（２５ａ〜２５ｆ）をセットして、空調設備から送られる冷風の通路に置かれ、各粘りパイプ（２ａ〜２ｆ）によりエアダクト（５１）内部の汚れを粘着し、順次、各粘りパイプ（２ａ〜２ｆ）を引き剥がして、エアダクト（５１）の内部から取り出すようになっている。
【００１３】
以下、この装置（１００）の各部についての構造及びその機能について補足していく。
この装置（１００）では、粘りパイプコロニー（１）がエアダクト（５１）の内部に入れられて、この粘りパイプコロニー（１）が冷風の流れる新通路となり、この粘りパイプコロニー（１）をなす複数の粘りパイプ（２ａ〜２ｆ）にビスコース層（３）が付けられて、これらの粘りパイプ（２ａ〜２ｆ）が１つずつ一引き剥がせるようになっているから、従来、エアダクト（５１）内部にくっ付く煙、芥などの小さな汚れを最内層の粘りパイプ（２ａ〜２ｆ）の内側表面のビスコース層（３）により粘着して、エアダクト（５１）の内部から取り出すことができ、エアダクト（５１）の内部の汚れをきれいにすることができる。この場合、各粘りパイプ（２ａ〜２ｆ）は相互にくっ付くことがなく、空調設備から送られる冷風の空気の品質を上げることができる。このようにこの装置は破天荒な発明品となっている。
【００１４】
この装置（１００）では、粘りパイプ（２ａ〜２ｆ）の素材が布材又はプラスチック材又は紙材のいずれか選択されるので、これらの素材が本製品の使用範囲を広げ、ユーザーの要望に応えるための異なる製品を提供することができる。プラスチックと紙と布の３種類の素材のうち、布が最も好ましい素材である。布は引きに強く、破損し難く、そして古くなったビスコース層（３）を除去して新たなビスコース層（３）を付けて、また使用することができ、また、再使用しない場合でも、布は分解できる素材だから、環境にやさしいという利点がある。また、この装置（１００）の場合、ビスコース層（３）の素材が抗菌材料または殺菌材料または匂い消し材料または混合材料のいずれかから選択されるので、これらの素材が本製品の使用範囲を広げ、ユーザーの要望に応えるための異なる製品を提供することができる。したがって、粘りパイプ（２ａ〜２ｆ）の抗菌性、殺菌性などの効能を上げ、本製品の実用性の向上を図ることができる。
【００１５】
この装置（１００）では、各粘りパイプ（２ａ〜２ｆ）のエアーコンディショナーキャビネット（５）に連接する風の入り口のところにフィルタ（７）が取り外し可能にセットされているので、このフィルタ（７）により、第一階段の濾過を行え、さらに冷房の空気を浄化する比較的大きい濾過面積を提供し、空気の品質をより一層向上させることができる。
【００１６】
この装置（１００）では、各粘りパイプ（２ａ〜２ｆ）の両端間で、エアダクト（５１）側の通風口（５１１）に当たるところに分流通風口（２３ａ〜２３ｆ）がセットされており、この分流通風口（２３ａ〜２３ｆ）のセットにより、エアダクト（５１）が元の効能（本来の機能）を発揮でき、システムの稼動に悪影響が出ることがなく、ユーザはより安心して使用することができる。
【００１７】
この装置（１００）では、各粘りパイプ（２ａ〜２ｆ）の両端に引き線（４ａ〜４ｆ）が固定されているから、この引き線（４ａ〜４ｆ）を手（素手）で引張るだけで、各粘りパイプ（２ａ〜２ｆ）を容易に引き剥がすことができ、引き剥がした各粘りパイプ（２ａ〜２ｆ）を簡単に取り出すことができる。このようにこの装置（１００）はとても便利で、空調設備のメンテナンスコストを下げることができ、画期的な発明品である。なお、エアダクト（５１）のメンテナンスは定期的に行ってもよく、不定期的に行っても構わない。エアダクト（５１）のメンテナンスに際して、粘りパイプコロニー（１）の粘りパイプ（２ａ〜２ｆ）を最内層の粘りパイプ（２ａ）から最外層（この場合、第６層）の粘りパイプ（２ｆ）へと順次引き剥がし、エアダクト（５１）から取り出せばよい。つまり、最内層の粘りパイプ（２ａ）を長い時間に亘って使用していると、最内層の粘りパイプ（２ａ）の内側表面（２１ａ）のビスコース層（３）が塵だらけになって使えなくなり、このようなときは引き線（４ａ）で粘りパイプ（２ａ）を引張り、最内層の粘りパイプ（２ａ）を引き剥がして、下層の粘りパイプ（２ｂ）を用いて、汚れを粘り付けることになる。このようにしてエアダクト（５１）に流れる冷風が汚いものにより汚染されることを避けることができ、室内の空気の品質を良好に維持することができる。また、この装置（１００）の場合、各粘りパイプ（２ａ〜２ｆ）の両端に、引き線（４ａ〜４ｆ）に連接するリング（２６ａ〜２６ｆ）がセットされ、引き線（４ａ〜４ｆ）を引くことにより、リング（２６ａ〜２６ｆ）が粘りパイプ（２ａ〜２ｆ）の両端の開口を閉じるようになっているので、汚れを残すのを避けることができる。例えば、引き線（４ａ）を引いて粘りパイプ（２ａ）を引き剥がしたときに、同時にリング（２６ａ）が粘りパイプ（２ａ）の両端の開口（通風口２４ａと通風口２５ａ）を閉じ、これにより内側表面のビスコース層（３）にくっ付いた汚れが下層の塵粘りパイプ（２ｂ）に落ちる可能性を大幅に下げ、さらには室内の人員やメンテナンス作業員の体の上に落ちて二次汚染になる恐れも大幅に下げることができる。また、この装置（１００）の場合、引き線（４ａ〜４ｆ）は各粘りパイプ（２ａ〜２ｆ）の外側表面（２２ａ〜２２ｆ）にセットされてもよく、また、各粘りパイプ（２ａ〜２ｆ）の内側表面（２１ａ〜２１ｆ）にセットされてもよく、粘りパイプ（２ａ〜２ｆ）の素材に応じて、引き線（４ａ〜４ｆ）を好ましい方にセットすることができる。
【００１８】
この製品のメンテナンスの際の作業例を図６乃至図７に示している。エアダクトの中の汚れを取るときは、最内層の粘りパイプ（２ａ）を引き剥がしてエアダクト（５１）から取り出せばよい。図６に示すように、メンテナンスの作業員が粘りパイプコロニー（１）の最内層の粘りパイプ（２ａ）の引き線（４ａ）を引き、この引張力がビスコース（３）の粘着力を上回ると、粘りパイプ（２ａ）が引き線（４ａ）の方から第２層の粘りパイプ（２ｂ）と分離し、引き線（４ａ）の力の施す方向に向けて移動していく。そして、図７に示すように、粘りパイプ（２ａ）を引き剥がしてエアダクト（５１）から取り出す。このとき、粘りパイプにはリングがセットされているので、引き線を引くと同時にリングがパイプの両端の開口（風の通風口２４ａと風の通風口２５ａ）を閉じ、内側表面のビスコース層にくっ付いた汚れが下層の粘りパイプに落ちる確率を大幅に下げ、さらに室内の人員あるいはメンテナンスの作業員の体に落ちて二次汚染になる恐れも大幅に下げることができる。このようにして（取り出された粘りパイプ（２ａ）の外側の）粘りパイプ（２ｂ）がエアダクト（５１）に流れる空気の新たな通路になり、粘りパイプ（２ｂ）の通風口がエアダクトに流れる新たな空気の通風口となる。このようにしてユーザは第１層の粘りパイプ（２ａ）から第２層の粘りパイプ（２ｂ）、第３層の粘りパイプ（２ｃ）、…第６層の粘りパイプ（２ｆ）へ順を追って引き剥がすことになる。そして、最後の、第６層の粘りパイプ（２ｆ）が塵だらけになって使えなくなったときに、冷房の空気の品質が落ちないように、第６層の粘りパイプ（２ｆ）を引き剥がして、新たな粘りパイプコロニー（１）と交代すればよい。このようにこの装置は使用に便利であり、また、素材が環境にやさしく、回収後にまた使用することができる。各引き剥がされた粘りパイプ（２ａ）の汚れのついたビスコース層（３）は洗剤入りの強力な水で洗い落とすことができ、洗い落とした後は、新しいビスコース層（３）を敷けば、また汚れを粘着することができるようになる。つまり、引き剥がされた粘りパイプはリサイクルが可能で、環境保護という時代の流れにも適う。また、粘りパイプはリサイクルしなくても、微生物により分解できるので、この点でも、環境にやさしいものとなる。
【００１９】
このようにして粘りパイプコロニー（１）をエアダクト（５１）に設置することにより、エアダクト（５１）のメンテナンスが容易になり、延いては冷房の空気の品質を良好に維持することができる。本装置なしの従来の空調設備よりも新規性、進歩性、産業上利用性に富むことは明らかである。
【００２０】
なお、この装置の各粘りパイプの厚さは極めて薄く、図面で表されているものよりも薄いものになっている。図面では、各粘りパイプを見えやすくして各粘りパイプの構成を理解し易いようにするため、実際のものよりも厚く示している。各粘りパイプの厚さが薄いからこそ、この装置をエアダクトにエアダクトの風量に影響することなく設置することができるのである。
【符号の説明】
【００２１】
１  粘りパイプコロニー
２ａ〜２ｆ  粘りパイプ
２１ａ〜２１f  内表面
２２ａ〜２２ｆ  外表面
２３ａ〜２３ｆ  分流通風口
２４ａ〜２４ｆ  通風口
２５ａ〜２５ｆ  通風口
２６ａ〜２６ｆ  リング
３  ビスコース層
４ａ〜４ｆ  引き線
５  エアーコンディショナーキャビネット
５１  エアダクト
５１１  側通風口
６  小さい汚れ
７  フィルタ
１００  引き剥がし式の粘りパイプ装置
【図１】
2011137507.tif 000003
【図２】
2011137507.tif 000004
【図３】
2011137507.tif 000005
【図４】
2011137507.tif 000006
【図５】
2011137507.tif 000007
【図６】
2011137507.tif 000008
【図７】
2011137507.tif 000009